(57)【要約】【課題】光ファイバを伝搬する上りと下りの光信号の波長や偏向状態が一致したときに干渉が起こって受信波形が劣化するという問題を解消することなどが可能な光通信方法、光通信システム及びこれに用いる光通信設備を提供する。【解決手段】双方向通信システムの構成を、光ファイバ１の一方側の周波数変調送信器３では光信号を周波数変調によって送信し、他方側ではこの光信号を周波数変調受信器７受信する一方、前記他方側の強度変調送信器６では強度変調によって光信号を送信し、前記一方側の強度変調受信器４ではこの光信号を受信する構成とする。また、反射型通信システムの構成は、光ファイバの一方側から他方側へは光信号を周波数変調によって送信し、光ファイバの他方側ではこの光信号を受信する一方、前記他方側では前記周波数変調によって送信された光信号を反射し、且つ、この反射光を強度変調することによって生成した光信号を送信し、前記一方側ではこの光信号を受信する構成とする。【選択図】        図１
2005006137.tif 000002
【特許請求の範囲】
【請求項１】
１本の光ファイバを上り・下りの双方向で使用して光信号の伝送を行う光通信方法において、
前記光ファイバの一方側では光信号を周波数変調によって送信し、
前記光ファイバの他方側では前記周波数変調によって送信された光信号を受信することを特徴とする光通信方法。
【請求項２】
１本の光ファイバを上り・下りの双方向で使用して光信号の伝送を行う光通信方法において、
前記光ファイバの一方側では光信号を周波数変調によって送信し、前記光ファイバの他方側では前記周波数変調によって送信された光信号を受信する一方、
前記他方側では強度変調によって光信号を送信し、前記一方側では前記強度変調によって送信された光信号を受信することを特徴とする光通信方法。
【請求項３】
１本の光ファイバを上り・下りの双方向で使用して光信号の伝送を行う光通信方法において、
前記光ファイバの一方側から他方側へは光信号を周波数変調によって送信し、前記光ファイバの他方側では前記周波数変調によって送信された光信号を受信する一方、
前記他方側では前記周波数変調によって送信された光信号を反射し、且つ、この反射光を強度変調することによって生成した光信号を送信し、前記一方側では前記強度変調によって送信された光信号を受信することを特徴とする光通信方法。
【請求項４】
１本の光ファイバを上り・下りの双方向で使用して光信号の伝送を行う光通信システムにおいて、
前記光ファイバの一方側には周波数変調送信器を備え、
前記光ファイバの他方側には周波数変調受信器を備えることにより、
前記一方側では前記周波数変調送信器により光信号を周波数変調によって送信し、
前記他方側では前記周波数変調によって送信された光信号を前記周波数変調受信器で受信するように構成したことを特徴とする光通信システム。
【請求項５】
１本の光ファイバを上り・下りの双方向で使用して光信号の伝送を行う光通信システムにおいて、
前記光ファイバの一方側には周波数変調送信器と強度変調受信器を備え、
前記光ファイバの他方側には周波数変調受信器と強度変調送信器を備えることにより、
前記一方側では前記周波数変調送信器により光信号を周波数変調よって送信し、前記他方側では前記周波数変調よって送信された光信号を前記周波数変調受信器で受信する一方、
前記他方側では前記強度変調送信器により光信号を強度変調によって送信し、前記一方側では前記強度変調受信器により前記強度変調によって送信された光信号を受信するように構成したことを特徴とする光通信システム。
【請求項６】
１本の光ファイバを上り・下りの双方向で使用して光信号の伝送を行う光通信システムにおいて、
前記光ファイバの一方側には周波数変調送信器と強度変調受信器を備え、
前記光ファイバの他方側には周波数変調受信器と反射型強度変調器を備えることにより、
前記一方側では前記周波数変調送信器により光信号を周波数変調よって送信し、前記他方側では前記周波数変調よって送信された光信号を前記周波数変調受信器で受信する一方、
前記他方側では前記反射型強度変調器により、前記周波数変調よって送信された光信号を反射し、且つ、この反射光を強度変調することによって生成した光信号を送信し、前記一方側では前記強度変調受信器により、前記強度変調によって送信された光信号を受信するように構成したことを特徴とする光通信システム。
【請求項７】
１本の光ファイバを上り・下りの双方向で使用して光信号の伝送を行う光通信システムに用いられる前記光ファイバの一方側の光通信設備であって、
周波数変調送信器を備え、
周波数変調受信器を備えた前記光ファイバの他方側の光通信設備に対して、前記周波数変調送信器により、光信号を周波数変調によって送信するように構成したことを特徴とする光通信設備。
【請求項８】
１本の光ファイバを上り・下りの双方向で使用して光信号の伝送を行う光通信システムに用いられる前記光ファイバの一方側の光通信設備であって、
周波数変調送信器と強度変調受信器とを備え、
周波数変調受信器と強度変調送信器とを備えた前記光ファイバの他方側の光通信設備に対して、前記周波数変調送信器により、光信号を周波数変調よって送信する一方、
前記他方側の光通信設備の前記強度変調送信器から、強度変調によって送信された光信号を、前記強度変調受信器で受信するように構成したことを特徴とする光通信設備。
【請求項９】
１本の光ファイバを上り・下りの双方向で使用して光信号の伝送を行う光通信システムに用いられる前記光ファイバの一方側の光通信設備であって、
周波数変調送信器と強度変調受信器とを備え、
周波数変調受信器と反射型強度変調器とを備えた前記光ファイバの他方側の光通信設備に対して、前記周波数変調送信器により、光信号を周波数変調よって送信する一方、
前記他方側の光通信設備の前記反射型強度変調器から、前記周波数変調よって送信された光信号を反射し、且つ、この反射光を強度変調することにより生成されて送信された光信号を、前記強度変調受信器で受信するように構成したことを特徴とする光通信設備。
【請求項１０】
１本の光ファイバを上り・下りの双方向で使用して光信号の伝送を行う光通信システムに用いられる前記光ファイバの他方側の光通信設備であって、
周波数変調受信器を備え、
周波数変調送信器を備えた前記光ファイバの一方側の光通信設備から、前記周波数変調送信器により、周波数変調によって送信された光信号を、前記周波数変調受信器で受信するように構成したことを特徴とする光通信設備。
【請求項１１】
１本の光ファイバを上り・下りの双方向で使用して光信号の伝送を行う光通信システムに用いられる前記光ファイバの他方側の光通信設備であって、
周波数変調受信器と強度変調送信器とを備え、
周波数変調送信器と強度変調受信器とを備えた前記光ファイバの一方側の光通信設備から、前記周波数変調送信器により周波数変調によって送信された光信号を、前記周波数変調受信器で受信する一方、
前記一方側の光通信設備の強度変調受信器に対して、前記強度変調送信器により、強度変調によって光信号を送信するように構成したことを特徴とする光通信設備。
【請求項１２】
１本の光ファイバを上り・下りの双方向で使用して光信号の伝送を行う光通信システムに用いられる前記光ファイバの他方側の光通信設備であって、
周波数変調受信器と反射型強度変調器とを備え、
周波数変調送信器と強度変調受信器とを備えた前記光ファイバの一方側の光通信設備から、前記周波数変調送信器により周波数変調よって送信された光信号を、前記周波数変調受信器で受信する一方、
前記一方側の光通信設備の強度変調受信器に対して、前記反射型強度変調器により、前記周波数変調よって送信された光信号を反射し、且つ、この反射光を強度変調することにより生成した光信号を送信するように構成したことを特徴とする光通信設備。
【発明の詳細な説明】
【０００１】
【発明の属する技術分野】
本発明は、光ファイバを用いて光信号を伝搬する高速光通信、光交換、光情報処理等の光通信方法、光通信システム及びこれに用いる光通信設備に関し、特に１本の光ファイバを上り・下りの双方向で使用して光信号の伝送を行う双方向通信システムや反射型通信システムなどに適用して有効な技術である。
【０００２】
【従来の技術】
ＩＴ技術の発展に伴う伝送容量の増加に伴い、光ファイバを用いた双方向通信システムや反射型通信システムなどの光通信システムでは、光ファイバの伝送帯域を有効に利用することが重要になっている。
【０００３】
図３に示す双方向通信システムは、１本の光ファイバ１０１を上り・下りの双方向で使用することで光ファイバ１０１の利用効率を上げる方式のものである。図３に示すように、光ファイバ１０１の一方側には光通信設備として、光カプラ１０２を介して光ファイバ１０１の一端に接続された送信器１０２及び受信器１０４が装備され、光ファイバ１０１の他方側には光通信設備として、光カプラ１０５を介して光ファイバ１０１の他端に接続された送信器１０６及び受信器１０７が装備されている。
【０００４】
従って、この双方向通信システムでは、下りの光信号は、前記一方側の送信器１０３から光カプラ１０２を介して光ファイバ１０１へ送出し、矢印Ａのように前記一方側から前記他方側へと光ファイバ１０１を伝搬させた後、前記他方側で光カプラ１０５を介して受信器１０７により受信する。一方、上りの光信号は、前記他方側の送信器１０６から光カプラ１０５を介して光ファイバ１０１へ送出し、矢印Ｂのように前記他方側から前記一方側へと光ファイバ１０１を伝搬させた後、前記一方側で光カプラ１０２を介して受信器１０４により受信する。かくして上り・下り双方の光信号が、１本の光ファイバ１０１によって伝送される。
【０００５】
ここで問題になるのが、双方向に伝搬する光信号が光ファイバ１０１で引き起こす干渉である。一般に双方向の光信号の波長或いは偏光方向が異なる場合には、図４に示すようなきれいな受信波形、即ち受信した光信号の０レベル・１レベルともに変動しないような受信波形を得ることができる。通常、光信号を受信するためには、図４に示すように０レベルと１レベルのほぼ中間点に閾値１０８を設け、受信信号のレベルが、閾値１０８を越えていれば１、閾値１０８を下回っていれば０と判定する。
【０００６】
しかしながら、双方向の光信号の波長が同じで且つ偏光方向が一致した場合には、何れかの一方の光信号の一部が光ファイバ１０１のレイリー散乱によって反射され、その反射光と他方の光信号とが干渉することで受信波形が乱れるようになる。この干渉の影響は１レベルで顕著であり、図５に示すように１レベルが太くなるようにみえる乱れた受信波形が得られる。その結果、閾値検出を行う際、実際は１レベルであるものが、０レベルと判定されやすくなるという問題がある。
【０００７】
また、これと同様な光通信システムに図６の反射型通信システムがある。この図６に示す反射型通信システムも、１本の光ファイバ２０１を上り・下りの双方向で使用することで光ファイバ２０１の利用効率を上げる方式のものである。
【０００８】
図６に示すように、光ファイバ２０１の一方側（局側）には光通信設備として、光カプラ２０２を介して光ファイバ２０１の一端に接続された送信器２０３、受信器２０４及び連続（ＣＷ）光源２０５が装備され、光ファイバの他方側（ユーザ端末側）には光通信設備として、光カプラ２０６を介して光ファイバ２０１の他端に接続された反射型強度変調器（反射型光増増幅器）２０７及び受信器２０８が装備されている。
【０００９】
従って、この反射型通信システムでは、下りの光信号は、前記一方側の送信器２０３から光カプラ２０２を介して光ファイバ２０１へ送出し、矢印Ａのように前記一方側から前記他方側へと光ファイバ２０１を伝搬させた後、前記他方側で光カプラ２０６を介して受信器２０８により受信する。また、前記一方側の連続光源２０では、連続（ＣＷ）光を、光カプラ２０２を介して光ファイバ２０１へ送出し、矢印Ａのように前記一方側から前記他方側へと光ファイバ２０１を伝搬させる。なお、図７（ａ）に示すように下りの光信号と連続光は、時分割方式によって送信する。
【００１０】
そして、前記他方側の反射型強度変調器２０７では、光カプラ２０６を介して入力した前記連続光を反射し、この反射光を強度変調することによって生成した上りの光信号を、光カプラ２０６を介して光ファイバ２０１へ送出し、矢印Ｂのように前記他方側から前記一方側へと光ファイバ２０１を伝搬させる。前記一方側では前記強度変調によって送信された上りの光信号を、光カプラ２０２を介して受信器２０４で受信する。なお、反射型強度変調送信器２０７では図７（ｂ）に示すように下りの光信号も反射する。かくして上り・下り双方の光信号が、１本の光ファイバ２０１によって伝送される。
【００１１】
ここで、行き（下り）の連続光と、帰り（上り）の強度変調された光信号は同じ波長であるため、もし双方の偏向状態が一致した場合には、図１２に示すように受信波形が乱れてしまうという問題があった。
【００１２】
そこで、これを防ぐためには、通常ディザリングと呼ばれる手法を用いる。これは連続光を正弦波で周波数変調することで連続光の線幅を広げて、干渉を減少される手法である。（非特許文献１参照）
【００１３】
【非特許文献１】
Ｍ．Ｏｋａｙａｓｕ，  Ｙ．Ｓｕｚｕｋｉ，  Ｎ．Ｙｏｓｈｉｍｏｔｏ，  Ｒ．Ｉｇａ，  Ｈ．Ｓｕｇｉｕｒａ，  ａｎｄ  Ｊ．Ｙｏｓｈｉｄａ，
”Ｂｉ−ｄｉｒｅｃｔｉｏｎａｌ  ｔｒａｎｓｍｉｓｓｉｏｎ  ｅｘｐｅｒｉｍｅｎｔ  ｕｓｉｎｇ  ａ  ｓｅｍｉｃｏｎｄｕｃｔｏｒ  ｏｐｔｉｃａｌａｍｐｌｉｆｉｅｒ  ｔｒａｎｓｃｅｉｖｅｒ  ｍｕｄｕｌｅ  ｆｏｒ  ＷＤＭ−ＰＯＮ  ａｎｄ  ＷＤＭ−ＬＡＮ  ａｐｐｌｉｃａｔｉｏｎｓ”，Ｂｒｏａｄｂａｎｄ  Ａｃｃｅｓｓ  ａｎｄ  Ｔｅｃｈｎｏｌｏｇｙ，  Ｄ．Ｗ．Ｆａｕｌｋｅｒ  ａｎｄ  Ａ．Ｌ．Ｈａｒｍｅｒ（Ｅｄｓ．），ＩＯＳ  Ｐｒｅｓｓ，  １９９９，  ｐｐ．２７８−２８３，  ＩＯＳ  Ｐｒｅｓｓ，  ＩＳＢＮ  ４  ２７４  ９０２９６  Ｘ  Ｃ３０５５、オーム社
【００１４】
この手法を用いる場合、図６に示すように連続光源２０５には周波数変調回路２０９が必要になる。
【００１５】
しかしながら、この方法では局側に送信器２０３と連続光源２０５の両方が必要になる。更に反射型通信システムの信号波形は図７に示すように時分割方式になるため、下り信号と上り信号が半分ずつしか利用されないという効率上の問題もあった。
【００１６】
【発明が解決しようとする課題】
上述のように、従来の双方向通信システムや反射型通信システムにおいては、光ファイバ１０１，２０１を伝搬する上りと下りの光信号や連続光の波長及び偏向状態が一致したときに干渉が起こり、受信波形が劣化するという問題があった。また、反射型通信システムにおいては、送信器と連続光源の両方が必要になるという問題もあった。
【００１７】
従って本発明は、光ファイバを伝搬する上りと下りの光信号の波長や偏向状態が一致したときに干渉が起こって受信波形が劣化するという問題を解消することができ、また、反射型通信システムにおいては連続光源を不要にすることもできる光通信方法、光通信システム及びこれに用いる光通信設備を提供することを課題とする。
【００１８】
【課題を解決するための手段】
上記課題を解決する第１発明の光通信方法は、１本の光ファイバを上り・下りの双方向で使用して光信号の伝送を行う光通信方法において、
前記光ファイバの一方側では光信号を周波数変調によって送信し、
前記光ファイバの他方側では前記周波数変調によって送信された光信号を受信することを特徴とする。
【００１９】
また、第２発明の光通信方法は、１本の光ファイバを上り・下りの双方向で使用して光信号の伝送を行う光通信方法において、
前記光ファイバの一方側では光信号を周波数変調によって送信し、前記光ファイバの他方側では前記周波数変調によって送信された光信号を受信する一方、
前記他方側では強度変調によって光信号を送信し、前記一方側では前記強度変調によって送信された光信号を受信することを特徴とする。
【００２０】
また、第３発明の光通信方法は、１本の光ファイバを上り・下りの双方向で使用して光信号の伝送を行う光通信方法において、
前記光ファイバの一方側から他方側へは光信号を周波数変調によって送信し、前記光ファイバの他方側では前記周波数変調によって送信された光信号を受信する一方、
前記他方側では前記周波数変調によって送信された光信号を反射し、且つ、この反射光を強度変調することによって生成した光信号を送信し、前記一方側では前記強度変調によって送信された光信号を受信することを特徴とする。
【００２１】
また、第４発明の光通信システムは、１本の光ファイバを上り・下りの双方向で使用して光信号の伝送を行う光通信システムにおいて、
前記光ファイバの一方側には周波数変調送信器を備え、
前記光ファイバの他方側には周波数変調受信器を備えることにより、
前記一方側では前記周波数変調送信器により光信号を周波数変調によって送信し、
前記他方側では前記周波数変調によって送信された光信号を前記周波数変調受信器で受信するように構成したことを特徴とする。
【００２２】
また、第５発明の光通信システムは、１本の光ファイバを上り・下りの双方向で使用して光信号の伝送を行う光通信システムにおいて、
前記光ファイバの一方側には周波数変調送信器と強度変調受信器を備え、
前記光ファイバの他方側には周波数変調受信器と強度変調送信器を備えることにより、
前記一方側では前記周波数変調送信器により光信号を周波数変調よって送信し、前記他方側では前記周波数変調よって送信された光信号を前記周波数変調受信器で受信する一方、
前記他方側では前記強度変調送信器により光信号を強度変調によって送信し、前記一方側では前記強度変調受信器により前記強度変調によって送信された光信号を受信するように構成したことを特徴とする。
【００２３】
また、第６発明の光通信システムは、１本の光ファイバを上り・下りの双方向で使用して光信号の伝送を行う光通信システムにおいて、
前記光ファイバの一方側には周波数変調送信器と強度変調受信器を備え、
前記光ファイバの他方側には周波数変調受信器と反射型強度変調器を備えることにより、
前記一方側では前記周波数変調送信器により光信号を周波数変調よって送信し、前記他方側では前記周波数変調よって送信された光信号を前記周波数変調受信器で受信する一方、
前記他方側では前記反射型強度変調器により、前記周波数変調よって送信された光信号を反射し、且つ、この反射光を強度変調することによって生成した光信号を送信し、前記一方側では前記強度変調受信器により、前記強度変調によって送信された光信号を受信するように構成したことを特徴とする。
【００２４】
また、第７発明の光通信設備は、１本の光ファイバを上り・下りの双方向で使用して光信号の伝送を行う光通信システムに用いられる前記光ファイバの一方側の光通信設備であって、
周波数変調送信器を備え、
周波数変調受信器を備えた前記光ファイバの他方側の光通信設備に対して、前記周波数変調送信器により、光信号を周波数変調によって送信するように構成したことを特徴とする。
【００２５】
また、第８発明の光通信設備は、１本の光ファイバを上り・下りの双方向で使用して光信号の伝送を行う光通信システムに用いられる前記光ファイバの一方側の光通信設備であって、
周波数変調送信器と強度変調受信器とを備え、
周波数変調受信器と強度変調送信器とを備えた前記光ファイバの他方側の光通信設備に対して、前記周波数変調送信器により、光信号を周波数変調よって送信する一方、
前記他方側の光通信設備の前記強度変調送信器から、強度変調によって送信された光信号を、前記強度変調受信器で受信するように構成したことを特徴とする。
【００２６】
また、第９発明の光通信設備は、１本の光ファイバを上り・下りの双方向で使用して光信号の伝送を行う光通信システムに用いられる前記光ファイバの一方側の光通信設備であって、
周波数変調送信器と強度変調受信器とを備え、
周波数変調受信器と反射型強度変調器とを備えた前記光ファイバの他方側の光通信設備に対して、前記周波数変調送信器により、光信号を周波数変調よって送信する一方、
前記他方側の光通信設備の前記反射型強度変調器から、前記周波数変調よって送信された光信号を反射し、且つ、この反射光を強度変調することにより生成されて送信された光信号を、前記強度変調受信器で受信するように構成したことを特徴とする。
【００２７】
また、第１０発明の光通信設備は、１本の光ファイバを上り・下りの双方向で使用して光信号の伝送を行う光通信システムに用いられる前記光ファイバの他方側の光通信設備であって、
周波数変調受信器を備え、
周波数変調送信器を備えた前記光ファイバの一方側の光通信設備から、前記周波数変調送信器により、周波数変調によって送信された光信号を、前記周波数変調受信器で受信するように構成したことを特徴とする。
【００２８】
また、第１１発明の光通信設備は、１本の光ファイバを上り・下りの双方向で使用して光信号の伝送を行う光通信システムに用いられる前記光ファイバの他方側の光通信設備であって、
周波数変調受信器と強度変調送信器とを備え、
周波数変調送信器と強度変調受信器とを備えた前記光ファイバの一方側の光通信設備から、前記周波数変調送信器により周波数変調によって送信された光信号を、前記周波数変調受信器で受信する一方、
前記一方側の光通信設備の強度変調受信器に対して、前記強度変調送信器により、強度変調によって光信号を送信するように構成したことを特徴とする。
【００２９】
また、第１２発明の光通信設備は、１本の光ファイバを上り・下りの双方向で使用して光信号の伝送を行う光通信システムに用いられる前記光ファイバの他方側の光通信設備であって、
周波数変調受信器と反射型強度変調器とを備え、
周波数変調送信器と強度変調受信器とを備えた前記光ファイバの一方側の光通信設備から、前記周波数変調送信器により周波数変調よって送信された光信号を、前記周波数変調受信器で受信する一方、
前記一方側の光通信設備の強度変調受信器に対して、前記反射型強度変調器により、前記周波数変調よって送信された光信号を反射し、且つ、この反射光を強度変調することにより生成した光信号を送信するように構成したことを特徴とする。
【００３０】
【発明の実施の形態】
以下、本発明の実施の形態を図面に基づき詳細に説明する。
【００３１】
＜実施の形態１＞
図１は本発明の実施の形態１に係る双方向通信システムの構成図である。図１に示す双方向通信システムは、１本の光ファイバ１を上り・下りの双方向で使用することで光ファイバ１の利用効率を上げる方式のものである。
【００３２】
そして、図１に示すように、光ファイバ１の一方側（例えば局側）には光通信設備として、光カプラ２を介して光ファイバ１の一端に接続された周波数変調送信器３及び強度変調受信器４が装備されている。一方、光ファイバ１の他方側（例えばユーザ端末側）には光通信設備として、光カプラ５を介して光ファイバ１の他端に接続された強度変調送信器６及び周波数変調受信器７が装備されている。従って、この双方向通信システムでは、次のようにして前記一方側から前記他方側への下り信号の送信と、前記他方側から前記一方側への上り信号の送信とを行う。
【００３３】
即ち、前記一方側では周波数変調送信器３によって、例えば５％程度の変調深さを持った周波数変調により光信号を生成し、この光信号を光カプラ２を介して光ファイバ１に送出することにより、矢印Ａのように前記一方側から前記他方側へと光ファイバ１を伝搬させる。前記他方側では、この周波数変調によって送信された光信号を、光カプラ５を介して周波数変調受信器７で受信する。
【００３４】
一方、前記他方側では強度変調送信器６によって、強度変調により光信号を生成し、この光信号を光カプラ５を介して光ファイバ１に送出することにより、矢印Ｂのように前記他方側から前記一方側へと光ファイバ１を伝搬させる。前記一方側では、この強度変調によって送信された光信号を、光カプラ２を介して強度変調受信器４で受信する。
【００３５】
以上のように、本実施の形態１の双方向通信システムでは、前記一方側から前記他方側へ送信する下りの光信号を、周波数変調によって送信するため、ディザリングと同じ効果を持つ。即ち、周波数変調によって光信号の線幅が広がっているために、双方の光信号の干渉が減少し、受信波形の劣化を抑制することができる。
【００３６】
＜実施の形態２＞
図２は本発明の実施の形態２に係る反射型通信システムの構成図である。図２に示す反射型通信システムは、１本の光ファイバ１１を上り・下りの双方向で使用することで光ファイバ１１の利用効率を上げる方式のものである。
【００３７】
そして、図２に示すように、光ファイバ１１の一方側（局側）には光通信設備として、光カプラ１２を介して光ファイバ１１の一端に接続された周波数変調送信器１３及び強度変調受信器１４が装備されている。一方、光ファイバ１１の他方側（ユーザ端末側）には光通信設備として、光カプラ１５を介して光ファイバ１１の他端に接続された反射型強度変調器（反射型光増幅器）１６及び周波数変調受信器１７が装備されている。従って、この反射型通信システムでは、次のようにして前記一方側から前記他方側への下り信号の送信と、前記他方側から前記一方側への上り信号の送信とを行う。
【００３８】
即ち、前記一方側では周波数変調送信器１３によって、例えば５％程度の変調深さを持った周波数変調により光信号を生成し、この光信号を光カプラ１２を介して光ファイバ１１に送出することにより、矢印Ａのように前記一方側から前記他方側へと光ファイバ１１を伝搬させる。前記他方側では、この周波数変調によって送信された光信号を、光カプラ１５を介して周波数変調受信器１７で受信する。
【００３９】
一方、前記他方側では反射型強度変調器１６により、前記周波数変調よって送信された下りの光信号を反射し、且つ、この反射光を電気信号の印加により強度変調することによって生成した光信号を、光カプラ１５を介して光ファイバ１１に送出する（戻す）。即ち、前記下りの光信号は強度比として５％程度しかないので、反射型強度変調器１６から見るとディザリングを行った連続光のように見え、この下りの光信号を強度変調することで上りの光信号を生成する。前記一方側では、この強度変調によって送信された上りの光信号を、光カプラ１２を介して強度変調受信器１４で受信する。
【００４０】
以上のように、本実施の形態２の反射型通信システムでは、前記一方側から前記他方側へ送信する下りの光信号を、周波数変調によって送信するため、ディザリングと同じ効果を持つ。即ち、周波数変調によって光信号の線幅が広がっているために、双方の光信号の干渉が減少し、受信波形の劣化を抑制することができる。
【００４１】
【発明の効果】
以上、本発明の実施の形態とともに具体的に説明したように、本発明の光通信方法、光通信システム及びこれに用いる光通信設備によれば、光ファイバの一方側から他方側へ送信する光信号は周波数変調によって送信するため、双方向通信システムや反射型通信システムなどにおいて、光ファイバを伝搬する上りと下りの光信号の波長や偏向状態が一致したときに干渉が起こって受信波形を劣化するという問題を解消することができ、また、反射型通信システムにおいては連続光源を不要にすることもできる。
【図面の簡単な説明】
【図１】本発明の実施の形態１に係る双方向通信システムの構成図である。
【図２】本発明の実施の形態２に係る反射型通信システムの構成図である。
【図３】従来の双方向通信システムの構成図である。
【図４】上りと下りの光信号の波長或いは偏光方向が異なる場合のきれいな受信波形を示す説明図である。
【図５】上りと下りの光信号の波長及び偏光方向が一致した場合の乱れた受信波形を示す説明図である。
【図６】従来の反射型通信システムの構成図である。
【図７】反射型通信システムの送受信波形を示す説明図である。
【符号の説明】
１  光ファイバ
２  光カプラ
３  周波数変調送信器
４  強度変調受信器
５  光カプラ
６  強度変調送信器
７  周波数変調受信器
１１  光ファイバ
１２  光カプラ
１３  周波数変調送信器
１４  強度変調受信器
１５  光カプラ
１６  反射型強度変調器（反射型光増幅器）
１７  周波数変調受信器
【図１】
2005006137.tif 000003
【図２】
2005006137.tif 000004
【図３】
2005006137.tif 000005
【図４】
2005006137.tif 000006
【図５】
2005006137.tif 000007
【図６】
2005006137.tif 000008
【図７】
2005006137.tif 000009